(57)【要約】【課題】  小型化することができる水栓用の水受け具を提供する。【解決手段】  水受け具１４は、掛り部１５と水受け本体１６とからなる。ここで、掛り部１５は、水受け本体１６に着脱可能に取り付けられる。そして、掛り部１５は、水栓２の吐出ヘッド５ｂが接続されるホース５ａの中間下部の折返し部分５ｃに、そのホース５ａに沿って移動可能に掛けられる。一方、水受け本体１６は、前記掛り部１５を介してホース５ａにぶら下げられる。そこで、この水受け本体１６が、ホース５ａ伝いに降下する湯水を受ける。【選択図】  図１
2007138578.tif 000002
【特許請求の範囲】
【請求項１】
ホルダー部から引き出し可能な、ホースとその先端に接続された吐出ヘッドとからなる吐出部を備えた水栓における、前記ホルダー部の口元から浸入する湯水を受ける水受け具であって、
前記ホースの中間下部の折返し部分にそのホースに沿って移動可能に掛けられる掛り部と、その掛り部を介して前記ホースにぶら下げられて、そのホース伝いに降下する湯水を受ける水受け本体とを備えることを特徴とする水栓用の水受け具。
【請求項２】
前記掛り部は、前記水受け本体に着脱可能に取り付けられることを特徴とする、請求項１に記載の水栓用の水受け具。
【請求項３】
前記掛り部における、前記ホースに当接する下面は、その掛り部が前記ホースに掛かる方向に直交する断面において、下に凸となる弧状に形成されていることを特徴とする、請求項１または２に記載の水栓用の水受け具。
【請求項４】
前記掛り部は、前記ホースに沿う方向に略直交するとともに略水平方向を向く軸心回りに回動可能なローラーからなることを特徴とする、請求項１または２に記載の水栓用の水受け具。
【請求項５】
前記水受け本体は、上方に開口し、湯水を受け入れる水受け部と、その水受け部の下方に位置して、前記水受け部から流入する湯水を収容する水収容部とを有し、
前記水収容部は、前記水受け部よりも、前記ホースに沿う方向に幅狭となっていることを特徴とする、請求項１ないし４のいずれか１項に記載の水栓用の水受け具。
【請求項６】
前記ホースが挿入される筒部を備え、
前記筒部の上半分が、前記掛り部となり、前記筒部の下半分が、前記水受け本体を構成して、湯水を受け入れる水受け部となることを特徴とする、請求項１または２に記載の水栓用の水受け具。
【発明の詳細な説明】
【技術分野】
【０００１】
この発明は、ホースが接続されたシャワーヘッド等の吐出ヘッドがホルダー部から引き出されるタイプの水栓に用いられる、水栓用の水受け具に関するものである。
【背景技術】
【０００２】
従来、ホルダー部から引き出し可能なシャワーヘッドを備えた水栓において、ホルダー部の口元から浸入して、シャワーヘッドに接続されるホース伝いに降下する湯水を受けるための、水受け具があった（例えば、特許文献１参照）。この水受け具は、ホースの中間下部の折り返し部分を収容するように、上方に開口する箱型に形成されて、水栓が設置される流し台下の壁面に固定された。
【０００３】
【特許文献１】特開２００３−１１９８６０号公報
【発明の開示】
【発明が解決しようとする課題】
【０００４】
ところで、前記水栓にあっては、ホースが接続されたシャワーヘッドをホルダー部から引き出したり戻したりすると、その動きに連れて、ホースの中間下部の折り返し部分は、上下に動いた。このため、水受け具は、この上下動するホースの折り返し部分を収容しなければならず、勢い大きくならざるを得なかった。
【０００５】
この発明は、上記した従来の欠点を解決するためになされたものであり、その目的とするところは、小型化することができる水栓用の水受け具を提供することにある。
【課題を解決するための手段】
【０００６】
この発明に係る水栓用の水受け具は、前記目的を達成するために、次の構成からなる。すなわち、
請求項１に記載の発明に係る水栓用の水受け具は、ホルダー部から引き出し可能な、ホースとその先端に接続された吐出ヘッドとからなる吐出部を備えた水栓における、前記ホルダー部の口元から浸入する湯水を受ける水受け具である。この水受け具は、前記ホースの中間下部の折返し部分にそのホースに沿って移動可能に掛けられる掛り部と、その掛り部を介して前記ホースにぶら下げられて、そのホース伝いに降下する湯水を受ける水受け本体とを備える。
【０００７】
ここにおいて、水栓は、ホースとその先端の吐出ヘッドとからなる吐出部を、ホルダー部から引き出したり戻したりすると、そのホースの動きに連れて、ホースの中間下部の折り返し部分が上下に動く。このとき、水受け具は、ホースに掛けられた掛り部が、ホースに沿って移動可能となっているため、水受け具の自重により、掛り部は、ホースの中間下部の折り返し部分に位置するよう、ホース上を移動する。よって、水受け本体を、ホースの折り返し部分の下方に位置させることができる。したがって、ホルダー部の口元から浸入してホース伝いに降下し、ホースの折り返し部分で滴下する湯水を、水受け本体が効率良く受け止めることができ、このことから、水受け本体、ひいては、水受け具を小型化することができる。
【０００８】
また、請求項２に記載の発明に係る水栓用の水受け具のように、請求項１に記載の水受け具において、前記掛り部は、前記水受け本体に着脱可能に取り付けられてもよい。これにより、水受け具を掛り部と水受け本体とに分離した状態から、掛り部と水受け本体とでホースを挟むようにして、掛り部を水受け本体に取り付けることで、この水受け具を、ホースに簡単に取り付けることができる。
【０００９】
また、請求項３に記載の発明に係る水栓用の水受け具のように、請求項１または２に記載の水受け具において、前記掛り部における、前記ホースに当接する下面は、その掛り部が前記ホースに掛かる方向に直交する断面において、下に凸となる弧状に形成されてもよい。こうして、掛り部の下面が、下に凸となる弧状に形成されることから、掛り部は、ホース上をスムーズに移動することができ、この掛り部を、ホースの折り返し部分に確実に位置させることができる。
【００１０】
また、請求項４に記載の発明に係る水栓用の水受け具のように、請求項１または２に記載の水受け具において、前記掛り部は、前記ホースに沿う方向に略直交するとともに略水平方向を向く軸心回りに回動可能なローラーからなってもよい。こうして、掛り部がローラーからなることから、掛り部は、ホース上をスムーズに移動することができ、この掛り部を、ホースの折り返し部分に確実に位置させることができる。
【００１１】
また、請求項５に記載の発明に係る水栓用の水受け具のように、請求項１ないし４のいずれか１項に記載の水受け具において、前記水受け本体は、上方に開口し、湯水を受け入れる水受け部と、その水受け部の下方に位置して、前記水受け部から流入する湯水を収容する水収容部とを有し、その水収容部は、前記水受け部よりも、前記ホースに沿う方向に幅狭となっていてもよい。このように、上部の水受け部に対して下部の水収容部を幅狭とすることで、水受け具を一層小型化することができる。
【００１２】
また、請求項６に記載の発明に係る水栓用の水受け具のように、請求項１または２に記載の水受け具において、前記ホースが挿入される筒部を備え、前記筒部の上半分が、前記掛り部となり、前記筒部の下半分が、前記水受け本体を構成して、湯水を受け入れる水受け部となってもよい。ここで、水受け本体は、筒部の下半分からなる水受け部のみから構成されてもよいが、水受け部の他に、その下方に位置して、水受け部から流入する湯水を収容する水収容部を有してもよい。
【発明の効果】
【００１３】
この発明に係る水栓用の水受け具によれば、水受け本体を、ホースの折り返し部分の下方に位置させて、その折り返し部分で滴下する湯水を水受け本体が効率良く受け止めるため、この水受け具を小型化することができる。
【発明を実施するための最良の形態】
【００１４】
以下、この発明に係る水栓用の水受け具を実施するための最良の形態を図面に基づいて説明する。
【００１５】
図１〜図５は、本発明の第一の実施の形態を示す。図中符号１は、流し台とか洗面台の天板等からなる取付板である。２は、前記取付板１に取り付けられる水栓（図示実施の形態においては、湯水混合水栓）である。水栓２は、前記取付板１に固定される水栓本体３と、水栓本体３に設けられたホルダー部４から引き出し可能な吐出部５とを備えている。そして、吐出部５は、ホース５ａと、そのホース５ａの先端に接続された吐出ヘッド５ｂとからなる。ここで、ホース５ａは、取付板１の下で、水栓本体３に接続管６を介して繋がり、一旦、下方に延び、折り返されて上方に戻り、水栓本体３内を通って、取付板１上のホルダー部４内を通過する。そして、このホルダー部４内を通過したホース５ａの先端に、ホルダー部４の口元に保持される吐出ヘッド５ｂが接続される。７は、水栓２の操作レバー、８は、吐出ヘッド５ｂのシャワー吐水と整流吐水とを切り替える切替ボタンである。また、９は、給水管、１０は、給湯管である。１１は、水栓２（水栓本体３）と給水管９とを繋ぐ給水ホース、１２は、水栓２（水栓本体３）と給湯管１０とを繋ぐ給湯ホースである。１３は、給水ホース１１あるいは給湯ホース１２と、給水管９あるいは給湯管１０との間に介在する止水栓である。１４は、前記ホルダー部４の口元から浸入する湯水（湯あるいは水）を受ける水栓用の水受け具である。
【００１６】
水受け具１４は、ホース５ａの中間下部の折り返し部分５ｃにそのホース５ａに沿って移動可能に掛けられる掛り部１５と、その掛り部１５を介してホース５ａにぶら下げられて、そのホース５ａ伝いに降下する湯水を受ける水受け本体１６とを備える。
【００１７】
具体的には、水受け具１４を構成する掛り部１５と水受け本体１６とは、合成樹脂製であって、掛り部１５は、水受け本体１６に着脱可能に取り付けられる。ここで掛り部１５は、略逆Ｕ字形状に形成されて、その各端部には、外側に突出する突起からなる係合部１５ａが設けられている。また、掛り部１５における、ホース５ａに当接する下面１５ｂ（図示実施の形態においては、略逆Ｕ字形状の掛り部１５の上片１５ｃにおける下面１５ｂ）は、その掛り部１５がホース５ａに掛かる方向に直交する断面において、下に凸となる弧状に形成されている（図４参照）。
【００１８】
一方、水受け本体１６は、その上部に、前記係合部１５ａ、１５ａが係合する孔（詳細には角孔）からなる被係合部１６ａ、１６ａが設けられている。そして、水受け本体１６は、上方に開口し、湯水を受け入れる水受け部１６ｂと、水受け部１６ｂの下方に位置して、その水受け部１６ｂから流入する湯水を収容する水収容部１６ｃとを有する。ここで、水収容部１６ｃは、水受け部１６ｂよりも、ホース５ａに沿う方向に幅狭となっている。詳細には、水受け部１６ｂは、下方ほど幅狭となるテーパー状に形成され、水収容部１６ｃは、その幅が一定のまま下方に延びている。そして、水受け本体１６（詳細には、水収容部１６ｃ）には、その底壁１６ｄに、排水ホース１７を接続するための、排水ホース接続部１６ｅが設けられている。この排水ホース接続部１６ｅは、筒状に形成されて、その下端は閉じている。そこで、この排水ホース接続部１６ｅに、排水ホース１７を接続する場合には、図５に示すように、排水ホース接続部１６ｅの下端部分をラインＬで示す位置で切断して開口させた後に、排水ホース１７を接続する。そして、このように、水受け本体１６（詳細には、水収容部１６ｃ）に排水ホース１７を繋げることで、水受け本体１６（詳細には、水収容部１６ｃ）に流入した湯水を速やかに外部に導くことができる。
【００１９】
次に、以上の構成からなる水受け具１４の作用効果について説明する。水栓２は、ホース５ａとその先端の吐出ヘッド５ｂとからなる吐出部５を、ホルダー部４から引き出したり戻したりすると、そのホース５ａの動きに連れて、ホース５ａの中間下部の折り返し部分５ｃが上下に動く。このとき、水受け具１４は、ホース５ａに掛けられた掛り部１５が、ホース５ａに沿って移動可能となっているため、水受け具１４の自重により、掛り部１５は、常にホース５ａの中間下部の折り返し部分５ｃに位置するよう、ホース５ａ上を移動する。よって、水受け本体１６を、常にホース５ａの折り返し部分５ｃの下方に位置させることができる。したがって、ホルダー部４の口元から浸入してホース５ａ伝いに降下し、ホース５ａの折り返し部分５ｃで滴下する湯水を、水受け本体１６が効率良く受け止めることができる。そして、このように、ホース５ａの折り返し部分５ｃで滴下する湯水を、自重で移動する水受け具１４に備わる水受け本体１６が効率良く受け止めるため、水受け本体１６、ひいては、水受け具１４を小型化することができる。しかも、水受け本体１６において、上部の水受け部１６ｂに対して下部の水収容部１６ｃを幅狭とすることで、水受け本体１６、ひいては、水受け具１４を一層小型化することができる。
【００２０】
また、特に、掛り部１５の下面１５ｂが、下に凸となる弧状に形成されることから、掛り部１５は、ホース５ａ上をスムーズに移動することができる。したがって、この掛り部１５を、ホース５ａの折り返し部分５ｃに確実に位置させることができる。
【００２１】
また、掛り部１５は、係合部１５ａと被係合部１６ａとが係合することで、水受け本体１６に着脱可能に取り付けられる。このことから、水受け具１４を掛り部１５と水受け本体１６とに分離した状態から、掛り部１５と水受け本体１６とでホース５ａを挟むようにして、掛り部１５を水受け本体１６に取り付ければ、この水受け具１４を、ホース５ａに簡単に取り付けることができる。
【００２２】
図６は、本発明の第二の実施の形態を示す。この実施の形態においては、水受け具１４は、第一の実施の形態とは、掛り部１５と水受け本体１６との形状が異なるが、他はほぼ同様である。以下に、第一の実施の形態に示す水受け具１４と同一の機能を有する構成部分には同一の符号を付して、異なる部分を主に説明する。
【００２３】
掛り部１５は、略逆Ｖ字形状に形成されている。そして、掛り部１５の各端部に設けられる係合部１５ａは、内側に突出する突起からなっている。一方、水受け本体１６には、その上部に、前記係合部１５ａ、１５ａが係合する孔（詳細には丸孔）からなる被係合部１６ａ、１６ａが設けられている。そして、水受け本体１６は、水受け部１６ｂと、その水受け部１６ｂの下方に位置する水収容部１６ｃとからなる。これら水受け部１６ｂと水収容部１６ｃとは、全体が、ホース５ａに沿う方向の幅が下方ほど狭くなるように、下に凸となる弧状に形成されることで、水収容部１６ｃが、水受け部１６ｂよりも、ホース５ａに沿う方向に幅狭となっている。
【００２４】
図７は、本発明の第三の実施の形態を示す。この実施の形態においては、水受け具１４は、第一の実施の形態とは、掛り部１５が異なるが、他はほぼ同様である。以下に、第一の実施の形態に示す水受け具１４と同一の機能を有する構成部分には同一の符号を付して、異なる部分を主に説明する。
【００２５】
この水受け具１４の掛り部１５は、水受け本体１６と一体に形成されている。また、この掛り部１５は、ホース５ａに沿う方向に並ぶように二つ設けられている。そして、それぞれの掛り部１５、１５は、略逆Ｕ字形状に形成されて、それら掛り部１５、１５の上片１５ｃ、１５ｃは、その下面を含めて、互いに離れた外側から内側に進むにつれて下方に向かうように傾斜して形成されている。このように、ホース５ａに当接する、掛り部１５、１５の下面が、傾斜して形成されることで、掛り部１５、１５は、ホース５ａ上をスムーズに移動することができ、この掛り部１５、１５を、ホース５ａの折り返し部分５ｃに確実に位置させることができる。
【００２６】
図８〜図１０は、本発明の第四の実施の形態を示す。この実施の形態においては、水受け具１４は、第一の実施の形態とは、掛り部１５の構造と水受け本体１６の形状が異なるが、他はほぼ同様である。以下に、第一の実施の形態に示す水受け具１４と同一の機能を有する構成部分には同一の符号を付して、異なる部分を主に説明する。
【００２７】
この水受け具１４の掛り部１５は、ホース５ａに沿う方向に略直交するとともに略水平方向を向く軸心１５ｄ回りに回動可能なローラー１５１からなる。そして、ローラー１５１は、ホース５ａに沿う方向に二つ並ぶようにして、水受け本体１６に着脱可能に取り付けられる。このローラー１５１は、円筒状のローラー本体１５ｅと、一方端に設けられた回動のための軸部１５ｆと、他方端に設けられた鍔部１５ｇとからなる。そして、軸部１５ｆは、スリット１５ｈによって分断されてそれぞれの先端に爪１５ｉが形成されている。
【００２８】
一方、水受け本体１６は、水受け部１６ｂと、その水受け部１６ｂの下方に位置する水収容部１６ｃとを有する。これら水受け部１６ｂと水収容部１６ｃとは、全体が、ホース５ａに沿う方向の幅が下方ほど狭くなるような略テーパー状に形成されることで、水収容部１６ｃが、水受け部１６ｂよりも、ホース５ａに沿う方向に幅狭となっている。そして、水受け本体１６は、前後の壁１６ｆ、１６ｆが上方に延設されて形成されており、さらに、それら壁１６ｆ、１６ｆには、中央部分から上方に突出する突出片１６ｇ、１６ｇが設けられている。そして、これら突出片１６ｇ、１６ｇの一方に、ローラー本体１５ｅ、１５ｅが嵌まる第１の通孔１６ｈ、１６ｈが明けられて、他方に、ローラー１５１、１５１、の軸部１５ｆ、１５ｆが嵌まる第２の通孔１６ｉ、１６ｉが明けられる。
【００２９】
そこで、ローラー１５１は、その軸部１５ｆ側から第１の通孔１６ｈに挿入されて、ローラー本体１５ｅが第１の通孔１６ｈを挿通し、軸部１５ｆが第２の通孔１６ｉを挿通して、軸部１５ｆの爪１５ｉ、１５ｉが第２の通孔１６ｉの周縁に係合する。こうして、このローラー１５１は、ローラー本体１５ｅが第１の通孔１６ｈに支持され、軸部１５ｆが第２の通孔１６ｉに支持されて、第１および第２の通孔１６ｈ、１６ｉの中心を結ぶ軸心、すなわちホース５ａに沿う方向に略直交するとともに略水平方向を向く軸心１５ｄ回りに回動可能となる。そして、このように、掛り部１５がローラー１５１からなることで、ローラー１５１（掛り部１５）は、ホース５ａ上をスムーズに移動することができ、したがって、このローラー１５１（掛り部１５）を、ホース５ａの折り返し部分５ｃに確実に位置させることができる。
【００３０】
また、ローラー１５１は、軸部１５ｆの爪１５ｉ、１５ｉが第２の通孔１６ｉの周縁に係合することで、水受け本体１６に着脱可能に取り付けられるが、このことから、水受け具１４をローラー１５１、１５１と水受け本体１６とに分離した状態から、ローラー１５１、１５１と水受け本体１６とでホース５ａを挟むようにして、ローラー１５１、１５１を水受け本体１６に取り付ければ、この水受け具１４を、ホース５ａに簡単に取り付けることができる。
【００３１】
図１１〜図１２は、本発明の第五の実施の形態を示す。この実施の形態においては、水受け具１４は、第一の実施の形態とは、掛り部１５の構造と水受け本体１６の特に水受け部１６ｂの形状が異なるが、他はほぼ同様である。以下に、第一の実施の形態に示す水受け具１４と同一の機能を有する構成部分には同一の符号を付して、異なる部分を主に説明する。
【００３２】
水受け具１４は、ホース５ａが挿入される筒部１８を備える。そこで、この筒部１８の上半分が、ホース５ａに掛けられる掛り部１５となる。そして、筒部１８の下半分が、水受け本体１６を構成して、湯水を受け入れる水受け部１６ｂとなる。ここで、筒部１８の上半分からなる掛り部１５は、上端が開いており、その開いた各端からは、上方にテーパー状に広がる延出片１８ａ、１８ａが延びている。そこで、ホース５ａは、その周面が、両延出片１８ａ、１８ａをそれぞれの側に押し広げるようにして、筒部１８内に挿入される。そして、このように、ホース５ａを、筒部１８内に挿入させて、筒部１８の上半分からなる掛り部１５に掛けることで、この水受け具１４を、ホース５ａに簡単に取り付けることができる。
【００３３】
水受け本体１６は、筒部１８の下半分からなる水受け部１６ｂの他に、その下方に位置して、水受け部１６ｂから流入する湯水を収容する水収容部１６ｃを有している。そして、この水収容部１６ｃは、水受け部１６ｂよりも、ホース５ａに沿う方向に幅狭となっている。
【００３４】
図１３は、本発明の第六の実施の形態を示す。この実施の形態においては、水受け具１４は、第五の実施の形態とは、筒部１８の構造が異なるが、他はほぼ同様である。以下に、第五の実施の形態に示す水受け具１４と同一の機能を有する構成部分には同一の符号を付して、異なる部分を主に説明する。
【００３５】
ホース５ａが挿入される筒部１８は、掛り部１５となる上半分と、水受け部１６ｂとなる下半分とが、分離して形成されている。そして、掛り部１５は、水受け本体１６（詳細には、水受け部１６ｂ）に着脱可能に取り付けられる。図示実施の形態においては、掛り部１５には、その各周端部に、鉤状の係合部１５ａが設けられる。一方、水受け部１６ｂには、その各周端部に、前記係合部１５ａが係合する突起状の被係合部１６ａが設けられる。このように、掛り部１５は、係合部１５ａ、１５ａと被係合部１６ａ、１６ａとが係合することで、水受け本体１６に着脱可能に取り付けられるが、このことから、水受け具１４を掛り部１５と水受け本体１６とに分離した状態から、掛り部１５と水受け本体１６とでホース５ａを挟むようにして、掛り部１５を水受け本体１６に取り付ければ、この水受け具１４を、ホース５ａに簡単に取り付けることができる。
【００３６】
なお、本発明は、上述した実施の形態に限定されるわけではなく、その他種々の変更が可能である。例えば、水栓２は、湯水混合水栓でなくとも、単水栓であってもよい。
【００３７】
また、水栓２において、ホルダー部４は、水栓本体３と一体となっているが、水栓本体３とは別体に形成されて、水栓本体３から離れた位置で、取付板１等に固定されてもよい。
【００３８】
また、水受け具１４において、水受け本体１６には、排水ホース接続部１６ｅが設けられているが、この排水ホース接続部１６ｅは、無くともよい。
【００３９】
また、水受け本体１６は、水受け部１６ｂと水収容部１６ｃとを有しているが、このうちの水収容部１６ｃは、無くともよい。
【００４０】
また、第四の実施の形態において、ローラー１５１は、二つ設けられているが、一つであってもよく、また、三つ以上設けられてもよい。
【図面の簡単な説明】
【００４１】
【図１】この発明の第一の実施の形態の、斜視図である。
【図２】同じく、水栓の吐出ヘッド（吐出部）を少し引き出した状態を示す斜視図である。
【図３】同じく、水受け具の斜視図であって、（イ）は、掛り部と水受け本体とを分離した状態を示し、（ロ）は、組み付けた状態を示す。
【図４】同じく、図３におけるＡ−Ａ線による拡大断面図である。
【図５】同じく、水受け本体の排水ホース接続部に排水ホースを接続する過程を示す斜視図である。
【図６】この発明の第二の実施の形態の、水受け具の斜視図であって、（イ）は、掛り部と水受け本体とを分離した状態を示し、（ロ）は、組み付けた状態を示す。
【図７】この発明の第三の実施の形態の、水受け具の斜視図である。
【図８】この発明の第四の実施の形態の、要部斜視図である。
【図９】同じく、水受け具の斜視図であって、（イ）は、ローラー（掛り部）と水受け本体とを分離した状態を示し、（ロ）は、組み付けた状態を示す。
【図１０】同じく、ローラーの断面図である。
【図１１】この発明の第五の実施の形態の、要部斜視図である。
【図１２】同じく、水受け具の斜視図である。
【図１３】この発明の第六の実施の形態の、水受け具の斜視図である。
【符号の説明】
【００４２】
２  水栓
４  ホルダー部
５  吐出部
５ａ  ホース
５ｂ  吐出ヘッド
５ｃ  折り返し部分
１４  水受け具
１５  掛り部
１５ｂ  下面
１５ｄ  軸心
１５１  ローラー
１６  水受け本体
１６ｂ  水受け部
１６ｃ  水収容部
１８  筒部
【図１】
2007138578.tif 000003
【図２】
2007138578.tif 000004
【図３】
2007138578.tif 000005
【図４】
2007138578.tif 000006
【図５】
2007138578.tif 000007
【図６】
2007138578.tif 000008
【図７】
2007138578.tif 000009
【図８】
2007138578.tif 000010
【図９】
2007138578.tif 000011
【図１０】
2007138578.tif 000012
【図１１】
2007138578.tif 000013
【図１２】
2007138578.tif 000014
【図１３】
2007138578.tif 000015